(57)【要約】  【課題】ワイパーを搭載したスライダを位置規制するためのカム面に水平部を設けなくてもスライダを安定した姿勢で所定の高さ位置に保持可能とすることで、装置本体の幅方向寸法を短縮でき、記録ヘッドに対するワイパーの進入量も高精度で実現できるインクジェット記録装置を提供する。  【解決手段】スライダ７にキャリッジ６の移動方向と交差する方向に回動可能なロックレバー１６を設け、スライダがワイピング位置に移動してきたときにロックレバーを装置本体側１３ｄと係止させることによりスライダをワイピング位置に停止させる。【選択図】                図４
2006315268.tif 000002
【特許請求の範囲】
【請求項１】
インクを吐出して被記録材に記録を行う記録ヘッドを搭載して往復移動するキャリッジと、記録ヘッドを拭掃するためのワイパーを搭載し所定範囲内で前記キャリッジの移動に追従して移動可能なスライダと、前記ワイパーによる前記記録ヘッドの拭掃が可能なワイピング位置に前記スライダを係止するための係止手段と、を備えたインクジェット記録装置において、
前記係止手段は、前記記録ヘッドを拭掃するために前記スライダが前記ワイピング位置に移動してきたときに装置本体側と係止することにより、該スライダをワイピング位置に停止させることを特徴とするインクジェット記録装置。
【請求項２】
前記係止手段は、前記キャリッジの前記スライダへの進入移動により解放位置から係止位置へ移動させられ、前記記録ヘッドの拭掃を終了した後に前記キャリッジが記録領域へ向かうときの移動により係止位置から解放位置へ移動させられることを特徴とする請求項１に記載のインクジェット記録装置。
【請求項３】
前記係止手段は、前記解放位置と前記係止位置との間でキャリッジの移動方向と交差する方向に回動可能に、前記スライダに装着されたロックレバーで構成されることを特徴とする請求項２に記載のインクジェット記録装置。
【請求項４】
前記スライダに前記記録ヘッドの吐出口を覆うためのキャップが搭載され、前記スライダの位置を規制するためのカム面に、前記キャップで前記記録ヘッドの吐出口を覆うキャッピング位置と前記ワイパーが前記記録ヘッドから離間するワイパー退避位置が設けられ、前記キャッピング位置と前記ワイパー退避位置との間に前記ワイピング位置が設けられることを特徴とする請求項１〜３のいずれか１項に記載のインクジェット記録装置。
【発明の詳細な説明】
【技術分野】
【０００１】
本発明は、記録ヘッドから被記録材へインクを吐出して記録を行うインクジェット記録装置に関する。
【背景技術】
【０００２】
記録ヘッドから記録用紙等の被記録材へインクを吐出して記録を行うインクジェット記録装置においては、微細な吐出口からインクを吐出して記録を行うことから、吐出口近傍におけるインクの蒸発によるインクの増粘や固着、吐出口面へのインクや紙粉等のごみの付着などに起因する吐出不良が発生することがある。そのため、インクジェット記録装置では、記録ヘッドの吐出口面を拭き取り清掃するワイピング手段や、記録ヘッドをキャッピングした状態で吐出口からインクを吸引することで吐出口内のインクをリフレッシュする吸引回復手段などを有する回復機構部を設け、所定のタイミングで回復動作を行うことでインク吐出性能を維持回復することが行われている。
【０００３】
回復機構部は、インクを吐出して記録する記録ヘッドの目詰まり等を解消することで記録品位を正常な状態に維持回復するためのものである。この回復機構部には、吐出口からインクを吸引又は吐出させるためのポンプ手段、キャップを当接させて吐出口を覆うキャッピング手段、ワイパーを摺擦させて吐出口面を拭掃するワイピング手段などが設けられている。この回復機構部の従来構成として、記録ヘッドを搭載したキャリッジの動きに連動して所定範囲だけで移動可能なスライダを設け、このスライダにキャップ及びワイパーを搭載したものが提案されている。
【０００４】
図１０は従来のインクジェット記録装置におけるスライダで構成された回復機構部を示す斜視図である。図１０において、スライダ７の上にはキャップ１Ａ、１Ｂとともにワイパー８、９が搭載されており、スライダ７は装置本体のベース部１３に設けられたスライダカム１３ａ、１３ｂに沿って移動可能である。従って、ワイパー８、９及びキャップ１Ａ、Ｂはスライダ７とともに、スライダカム１３ａ、１３ｂのカム面に沿って移動することで上下方向の位置も規制され、所定のキャッピング位置やワイピング位置などを取るように制御される。また、スライダ７には、ワイピング動作時にベース部１３に係止することでスライダを固定させるロックレバー４が設けられている。
【０００５】
図１１は図１０のスライダ７がキャリッジの移動に追従して回復機構部のキャッピング位置まで進入したときの状態を示す一部破断正面図である。図１２はキャリッジが記録領域へ向けて反転移動することでスライダ７がワイピング位置に保持されるときの状態を示す一部破断正面図である。図１１において、記録ヘッド５及びキャリッジ６からなる記録機構部が回復機構部へ進入してくると、キャリッジ６の右側面がスライダ７の突き当て部７ａに当接する。スライダ７の両側面の合計４箇所に突出部（又は軸部）７ｂが設けられており、これらの突出部は装置本体側のベース部１３に設けられたスライダカム１３ａ、１３ｂの上面（カム面）に当接している。
【０００６】
キャリッジ６が突き当て部７ａに当接してさらに進入すると、スライダ７はキャリッジの動きに連動（追従）してスライダカム１３ａ、１３ｂに沿って移動し、徐々に上昇していく。そして、図１１のキャッピング位置まで移動してくると、キャップ１Ａ、１Ｂが記録ヘッド５Ａ、５Ｂの吐出口面５１に密着させられ、吐出口を密封するキャッピング状態になる。キャリッジがキャッピング位置から更に進入方向へ若干すると、ロックレバー４の先端部に設けられたフック部４ｂが装置本体１３側のロックレバーカム１３ｃを乗り越えて図示右側へ移動し、ロックレバーカムに係止される。
【０００７】
ロックレバー４は、ベース部１３との間に張架された引っ張りスプリング（戻しばね）４ｄにより図示左向きに付勢されている。ロックレバー４にはスライダ挿入部４ｃが設けられており、スライダ７の４本の突出部３ｂのうちの図示左側の１本の先端部がスライダ挿入部に挿入されている。スライダ７が記録領域へ向けて反転移動することで、この１本の突出部７ｂがスライダ挿入部４ｃの左側端面に当接することでスライダ７は図１２のワイピング位置に保持（ロック又は停止）される。
【０００８】
記録機構部が記録領域へ向けてさらに移動すると、記録機構部は停止したスライダから離間していく。スライダの記録領域側の端部にはブレード状のゴム状弾性体からなるワイパー８、９が取り付けられている。また、スライダ７は、上記ワイピング位置では、各ワイパー８、９が記録ヘッド５Ａ、５Ｂの吐出口面５１に対して好適な量だけ進入（オーバーラップ）する高さ位置に停止されている。そこで、キャリッジ６がさらに記録領域へ向けて移動すると、各記録ヘッドの吐出口面が各ワイパーと摺擦し、吐出口面を拭掃するワイピング動作が行われる。
【０００９】
ワイピングを終えて記録機構部がさらに記録領域へ向けて移動すると、キャリッジ６のロックレバー解除部（不図示）がロックレバー４のキャリッジ当接部４ａに当接してこれを押圧する。このロックレバー解除部はキャリッジ６の図示右端部に形成された突出部又は段差部等からなり、その高さ位置は、スライダ７及びロックレバー４が最下位置になるキャリッジが進入してくるときにはキャリッジ当接部４ａと接触せず、スライダ７及びロックレバー４がある程度上昇したワイピング位置にあるときにはキャリッジ当接部と接触するように位置に選定されている。
【００１０】
こうして、不図示のロックレバー解除部がキャリッジ当接部４ａに当接することにより、ロックレバー４はスライダ挿入部４ｃに挿入された突出部７ｂを中心に図示反時計回りに回動する。これによって、フック部４ｂがロックレバーカム１３ｃから離脱しスライダのロックが解除される。ロックを解除されたスライダは、ベース部１３との間に張架されたスライダばね１５によって当初のワイパー退避位置（下降位置）へ戻される。以上の構成によれば、キャリッジの移動を利用してスライダをカム面に沿って追従移動させることで、駆動源を必要とせずにキャッピング動作及びワイピング動作を行うことができるため、部品点数が少なく簡単な構成で低価格の回復機構部を備えたインクジェット記録装置が得られる。以上のような回復機構部を有するインクジェット記録装置は特許文献１に開示されている。
【特許文献１】特開２００４−９０５５０
【発明の開示】
【発明が解決しようとする課題】
【００１１】
しかしながら、上記のインクジェット記録装置においては、スライダ７のワイピング位置はロックレバー４によって規制されるが、この従来のロックレバーによる係止手段には次のような技術的課題があった。すなわち、上記の従来の係止手段は、スライダに連結されたロックレバーを装置本体の回復機構部の奥に形成されたロックレバーカム１３ｃに係止させ、スライダをキャリッジ移動方向でのみ位置規制するように構成されている。このため、スライダカム１３ａ、１３ｂには、ワイピング動作時のキャリッジ移動に対応する長さの水平部１３ｆを設けることが必要になる。
【００１２】
また、ロックレバー４はスライダの４本の突出部（軸部）７ｂのうちの１本のみと連結されているため、スライダの姿勢が不安定になりやすい。そこで、スライダの姿勢を安定させるためには、４本の突出部が水平部１３ｆに位置している状態でロックレバーをロックレバーカム１３ｃに係止させることが必要となる。このようにスライダカム１３ａ、１３ｂに水平部１３ｆが必要なことから、スライダカムの全長が長くなり、装置本体の幅方向寸法が大きくなっていた。
【００１３】
また、適正なワイピング動作のためには記録ヘッド５の吐出口面に対するワイパー８、９の進入量（オーバーラップ量）が適切であることが必要である。しかるに、上記従来の構成では、ワイパーの高さ方向位置を決定する要因が、装置本体のロックレバーカム１３ｃの高さ、スライダカム１３ａ、１３ｂの水平部１３ｆの高さ、ロックレバー４の形状寸法、及びスライダの４本の突出部７ｂの位置などと多く存在する。そのため、ワイパーの進入量は、これらの部品の製造誤差に影響されてかなり大きく変動することがあり、適切な量に維持することが困難であった。つまり、適切な進入量を安定して確保するために、各部品に対して大幅な製造精度の向上が要請されていた。
【００１４】
本発明はこのような技術的課題に鑑みてなされたものであり、本発明の目的は、ワイパーを搭載したスライダを位置規制するためのカム面に水平部を設けなくてもスライダを安定した姿勢で所定の高さ位置に保持できることから、装置本体の幅方向寸法を短縮することができ、かつ、スライダの高さ位置を係止手段のみで規制可能とすることにより、記録ヘッドに対するワイパーの進入量を高精度で実現できるインクジェット記録装置を提供することである。
【課題を解決するための手段】
【００１５】
本発明は、上記目的を達成するため、インクを吐出して被記録材に記録を行う記録ヘッドを搭載して往復移動するキャリッジと、記録ヘッドを拭掃するためのワイパーを搭載し所定範囲内で前記キャリッジの移動に追従して移動可能なスライダと、前記ワイパーによる前記記録ヘッドの拭掃が可能なワイピング位置に前記スライダを係止するための係止手段と、を備えたインクジェット記録装置において、前記係止手段は、前記記録ヘッドを拭掃するために前記スライダが前記ワイピング位置に移動してきたときに装置本体側と係止することにより、該スライダをワイピング位置に停止させることを特徴とする。
【発明の効果】
【００１６】
上記構成の本発明によれば、スライダがワイピング位置に移動してきたときに装置本体側と係止する係止手段によってスライダをワイピング位置に停止させるので、ワイパーを搭載したスライダを位置規制するためのカム面に水平部を設けなくてもスライダを安定した姿勢で所定の高さ位置に保持できることから、装置本体の幅方向寸法を短縮することができ、かつ、スライダの高さ位置を係止手段のみで規制可能とすることにより、記録ヘッドに対するワイパーの進入量を高精度で実現することができるインクジェット記録装置が提供される。
【発明を実施するための最良の形態】
【００１７】
以下、図面を参照して本発明の実施形態を具体的に説明する。なお、各図面を通して同一符号は同一又は対応部分を示すものである。また、同様の複数の部品又は部位を同一番号に記号を付して示す場合に全部もしくは任意のものを指すときは記号を省いて番号のみで示す。図１は本発明を適用したインクジェット記録装置の一実施形態を示す斜視図である。図１において、図示のインクジェット記録装置は、給紙部１０１と、搬送部１０２と、記録機構部（走査ユニット）１０３と、回復機構部（クリーニング機構部）１０４と、を備えている。給紙部は記録用紙等の被記録材を装置本体内へ供給する。搬送部は装置本体内を通して被記録材を搬送する。記録機構部は画像情報に基づいて被記録材に画像を記録する。回復機構部は記録される画像品位を保持するために記録ヘッドのインク吐出性能を維持回復するものである。
【００１８】
給紙部１０１に積載された被記録材は、給紙モータで駆動される給紙ローラによって１枚ずつ分離されて送り出され搬送部１０２へ給送される。搬送部１０２に給送されてくる被記録材は、搬送モータによって駆動される搬送ローラ１２１及びピンチローラ１２２によって記録部を通して搬送される。記録部では、記録機構部（走査ユニット）１０３によって被記録材に対する記録が行われる。主走査方向に移動するキャリッジ６に搭載された記録ヘッド５を画像情報に基づいて駆動し、記録ヘッドの吐出口からインクを吐出させることにより記録が行われる。記録された被記録材は、搬送ローラ１２１と同期駆動される排紙ローラ１２３及びこれに押圧される拍車によって装置本体外へ排出される。
【００１９】
記録機構部１０３は、主走査方向に往復移動可能に案内支持されたキャリッジ６と、キャリッジに搭載された記録カートリッジ３Ａ、３Ｂを備えている。キャリッジ６は装置本体に設置されたガイドシャフト及びガイドレールに沿って往復移動可能に案内支持されており、キャリッジモータによりキャリッジベルト１２４を介して往復駆動される。記録機構部１０３の移動は、キャリッジ６に搭載されたエンコーダセンサと装置本体側に張架されたエンコーダスケール１２５によって、位置及び速度を検知することにより制御される。キャリッジ６の移動（主走査）に同期して行われる記録ヘッド５の記録動作と被記録材の所定ピッチごとの搬送（副走査）とを繰り返すことにより被記録材全体の記録が行われる。
【００２０】
回復機構部１０４は記録ヘッド５の吐出口の目詰まり等を解消することで記録画像の品位を正常な状態に維持回復するためのものである。この回復機構部は、吐出口を覆うためのキャッピング手段、吐出口からインクを吸引するためのポンプ等の吸引手段、吐出口面を拭掃するためのワイピング手段などを備えている。本実施形態の回復機構部１０４は、図４に示すような、キャリッジ６が回復機構部に移動してきたときにキャリッジと共に所定範囲にわたって移動可能なスライダ７を備えている。そして、キャッピング手段のキャップ１Ａ、１Ｂ及びワイピング手段のワイパー８、９はスライダ７に搭載されている。このスライダ７の詳細については後述する。
【００２１】
図２は図１中の記録機構部１０３を前方から見た斜視図であり、図３は図２の記録機構部を下方から見た斜視図である。図２及び図３において、キャリッジ６上に複数（２個）の記録カートリッジ３Ａ、３Ｂが搭載されており、各記録カートリッジは記録ヘッドとインクタンクとを一体化したインクカートリッジで構成されている。カラー用の記録カートリッジ３Ａには、複数色のインクを用いて記録する記録ヘッド５Ａが設けられている。一方、１色用の記録カートリッジ３Ｂには、１色（例えばブラック）のインクで記録する記録ヘッド５Ｂが設けられている。記録ヘッド５Ａの吐出口面５１には、例えばシアン、マゼンタ及びイエローの３色の吐出口列５２が形成されている。記録ヘッド５Ｂの吐出口面５１には、ブラック等の１色の吐出口列５２が形成されている。
【００２２】
図４は本発明を適用したインクジェット記録装置の一実施形態における回復機構部の斜視図である。回復機構部１０４は記録ヘッド５の吐出口の目詰まり等を解消することで記録画像の品位を正常な状態に維持回復するためのものである。図４において、記録ヘッド５Ａ、５Ｂの吐出口を覆うためのキャップ１Ａ、１Ｂを有するキャッピング手段と、各記録ヘッドの吐出口面５１を拭掃するためのワイパー８、９がスライダ７に搭載されている。スライダ７は、記録機構部１０３が回復機構部１０４へ進入してきたとき、所定範囲にわたって追従して移動できるように装着されており、装置本体のベース部１３に設けられたスライダカム１３ａ、１３ｂのカム面に沿って移動することでキャリッジ移動方向の各位置（キャッピング位置、ワイピング位置、ワイパー退避位置など）において所定の高さ位置を取るように制御される。なお、キャップ１はポンプ等の吸引手段に接続されており、キャッピングした記録ヘッドの吐出口からインクを吸引することで、吐出口内のインクをリフレッシュする吸引回復動作も可能である。
【００２３】
図５は記録機構部が回復機構部へ進入してスライダが追従移動する状態を示す一部破断正面図である。図６は図５中の線６−６に沿って見た一部破断側面図である。図７はスライダがキャッピング位置にあるときの回復機構部の一部破断正面図である。図８はスライダがワイピング位置にあるときの回復機構部の一部破断正面図である。図９はスライダがワイパー退避位置にあるときの回復機構部の一部破断正面図である。
【００２４】
次に本実施形態の回復機構部１０４について説明する。図４〜図９において、２個の記録ヘッド５Ａ、５Ｂのそれぞれの吐出口面５１をキャッピングするためのキャップ１Ａ、１Ｂは、キャップホルダ２Ａ、２Ｂに保持されている。各キャップホルダは２箇所の爪部によりスライダ７に取り付けられている。各キャップホルダとスライダ７との間にはキャップばねが装着されており、キャップ及びキャップホルダはキャップばねにより上向きに付勢されている。キャップ１Ａ、１Ｂはキャリッジ移動方向に所定間隔をおいて配置されており、一方のワイパー８は両キャップ間に配置され、他方のワイパー９は図示左端部（記録領域側の端部）に配置されている。
【００２５】
各キャップ１Ａ、１Ｂの内部は、不図示のチューブを通して、負圧発生手段である不図示の吸引ポンプに接続されている。キャップで記録ヘッドをキャッピングした状態で吸引ポンプを作動させることによりキャップ内に負圧を発生させ、この負圧によって記録ヘッドの吐出口からインクを吸引することができる。このような吸引動作で記録ヘッドのインク流路内のインク中の気泡や固着インク等を排出することで、記録ヘッドのインク吐出性能を維持回復することができる。
【００２６】
スライダ７の両側側面の合計４箇所には横方向へ突出した棒状の突出部（又は軸部）７ｂが設けられている。４箇所の突出部７ｂは、ベース部１３に設けられたスライダカム１３ａ、１３ｂのカム面（上面）に当接している。また、スライダ７は、ベース部１３との間に張架されたスライダばね（引っ張りばね）１５によって、記録領域へ向けて斜め下方へ付勢されている。従って、スライダ７は、スライダばね１５により、各突出部７ｂをスライダカム１３ａ、１３ｂのカム面に当接させた状態で移動可能に装着されている。スライダ７の図示右側端部には、進入してきたキャリッジ６の側面が当接可能な突き当て部７ａが設けられている。
【００２７】
図４〜図９において、スライダ７上の記録領域側端部の搬送方向下流側の部位には、スライダをワイピング位置にロック（停止）させるように動作する係止手段が設けられている。この係止手段は、後述するように、記録ヘッドを拭掃するためにスライダがワイピング位置（図８）に移動してきたときに装置本体側と係止することにより、スライダをワイピング位置に位置規制するように作用するものである。この係止手段は、キャリッジ移動方向と交差する方向（搬送方向）の略鉛直面内で図６中の矢印Ｔ方向に回動可能なロックレバー１６で構成されている。このロックレバー１６は、その中間部で支持軸１６ｅにより軸支されている。また、このロックレバー１６は、支持軸１６ｅとの間でラジアル方向もしくはスラスト方向にばね付勢されることで所定の摩擦力をもって回動可能に軸支されており、所定値以上の外力トルクが作用しない限り、外力等によって変位させられた回動位置に保持される。
【００２８】
装置本体のベース部１３には、ロックレバー１６が略垂直になったときにその下端部１６ａが係止可能なロック面１３ｄが設けられている。また、キャリッジ６の下部には、記録機構部１０３が回復機構部１０４へ進入移動するときにロックレバー１６の上端部１６ｂに当接することでロックレバーを図６中の反時計回りに回動させ、下端部１６ａをロック面１３ｄに係止（ロック）させるための当接部（不図示）が設けられている。さらに、キャリッジ６の下部には、記録機構部１０３が記録領域へ向けて移動するときにロックポジション（略垂直姿勢）にあるロックレバーの上端部１６ｂに当接することでロックレバーを図６中の時計回りに回動させ、下端部１６ａをロック面１３ｄから離脱させるためのロック解除用の突起部６７が設けられている。
【００２９】
次に図４〜図９を参照して、回復機構部１０４の動作について説明する。図４〜図９において、キャリッジ６に記録ヘッド５を搭載した走査ユニットである記録機構部１０３が記録領域外へ移動して回復機構部１０４へ進入してくると、キャリッジ６の側面部がスライダ７の突き当て部７ａに当接する。すると、スライダ７は記録機構部１０３に追従して進入方向（図示右方向）へ移動する。スライダ７は、進入方向への移動に伴い、スライダカム１３ａ、１３ｂのカム面に沿って上昇していく。スライダ７が進入して図７に示すような最上位置（キャッピング位置）まで到達すると、スライダ上のキャップ１Ａ、１Ｂが記録ヘッド５Ａ、５Ｂの吐出口面５１に圧接され、吐出口を覆うキャッピング状態となる。
【００３０】
なお、記録動作中など、記録機構部１０３が回復機構部１０４の領域へ移動してこない状態では、ロックレバー１６は図６に示す垂直位置から時計回りに回動した解放位置（傾斜姿勢）にある。そこで、上記のように記録機構部１０３が回復機構部１０４に進入してくると、キャリッジ６の下部に設けられた不図示の前記当接部がロックレバー１６の上端部１６ｂに当接する。この当接による押圧力によって、ロックレバーは図６中の反時計回りに回動する。そして、ロックレバー１６は、前述の摩擦保持力によって、下端部１６ａがロック面１３ｄに係止（ロック）可能な垂直姿勢に保持される。
【００３１】
キャリッジ６が移動方向を反転してキャッピング位置から記録領域へ向かって移動し始めると、同時に、スライダ７は、スライダばね１５の作用によりスライダカム１３ａ、１３ｂに沿って移動し、下降し始める。そこで、スライダ７が図８に示すように所定量下降したワイピング位置まで移動してくると、スライダ７上で摩擦力で上記の垂直方向のロックポジションに保持されたロックレバー１６の下端部１６ａがベース部のロック面１３ｄに突き当てられる。これによって、スライダ７は図６及び図８に示すようなワイピング位置に停止し、この位置に停止（ロック）される。従って、記録機構部１０３がこのワイピング位置からさらに記録領域へ向けて（図８中の左方向へ）移動すると、記録機構部１０３はスライダ７から離れていくことになる。
【００３２】
記録機構部１０３がさらに記録領域へ向けて移動すると、キャリッジ６に搭載された記録ヘッド５の吐出口面５１にスライダ７に搭載されたワイパー８、９が摺擦し、ワイピング動作が行われる。このとき、図８から明らかなように、図示で、ワイパー８、９はスライダ７の左端部と中央部に搭載されており、従って、左側の記録ヘッド５Ａは左側のワイパー９で拭掃され、右側の記録ヘッド５Ｂは両方のワイパー８、９で拭掃されることになる。
【００３３】
さらにキャリッジ６が記録領域へ向けて移動し、２枚のワイパー８、９が記録ヘッド５の吐出口面を完全に通過した後、キャリッジ６の図示右側下部に設けられたロック解除用の突起部６７がロックレバー１６の上端部（キャリッジ当接部）１６ａを押圧する。この押圧によって、ロックレバー１６は支持軸１６ｅを中心に図６中の時計回りに回動させられる。従って、ロックレバー１６の下端部の係止部１６ａがベース部のロック面１３ｄから離れ、スライダ７のロックレバーによる固定（ロック）も解除される。ロック解除されたスライダ７は、スライダばね１５によってスライダカム１３ａ、１３ｂの記録領域寄りの最下部まで移動し、図９に示すようなワイパー８、９から完全に退避した下降位置へ戻される。
【００３４】
以上のようなロックレバー１６を用いる係止手段によれば、ワイパー８，９を搭載したスライダ７の位置決め停止を正確に安定した状態で行うことを可能になった。また、従来のスライダカムのカム面においてワイピング位置のために必要としていた水平部１３ｆ（図１１、図１２）を無くすことができる。このため、スライダカム１３ａ、１３ｂを斜面または円弧のみで形成することにより安定した姿勢でワイパー８、９の高さ方向の位置を決定できるようになった。同時に、スライダカムの長さ短縮による回復機構部１０４の小型化により装置本体の幅を短縮することが可能となり、装置の小型軽量化が可能になった。
【００３５】
さらに、スライダ７の高さ方向の位置を決定する部品をロックレバー１６のみとしたことで、ワイパー８、９の記録ヘッド５に対する進入量Ｓ（図６）を高精度で規制することが可能となり、回復機構部１０３による適正で効果的なワイピング動作を実現することが可能になった。なお、以上の本実施形態では、２個の記録ヘッドを２個のワイパーで拭掃する場合を例に挙げて説明したが、本発明は、記録ヘッドの数やワイパーの数に関わりなく適用することができ、同様の作用効果を奏するものである。
【図面の簡単な説明】
【００３６】
【図１】本発明を適用したインクジェット記録装置の一実施形態を示す斜視図である。
【図２】図１のインクジェット記録装置の記録機構部を前方から見た斜視図である。
【図３】図２の記録機構部を下方から見た斜視図である。
【図４】本発明を適用したインクジェット記録装置の一実施形態における回復機構部の斜視図である。
【図５】本発明を適用したインクジェット記録装置において記録機構部が回復機構部へ進入してスライダが追従移動する状態を示す一部破断正面図である。
【図６】図５中の線６−６に沿って見た一部破断側面図である。
【図７】本発明を適用したインクジェット記録装置の回復機構部でスライダがキャッピング位置にあるときを示す一部破断正面図である。
【図８】図７の回復機構部でスライダがワイピング位置にあるときを示す一部破断正面図である。
【図９】図７の回復機構部でスライダがワイパー退避位置にあるときを示す一部破断正面図である。
【図１０】従来のインクジェット記録装置におけるスライダで構成された回復機構部を示す斜視図である。
【図１１】図１０のスライダがキャリッジの移動に追従して回復機構部のキャッピング位置まで進入したときの状態を示す一部破断正面図である。
【図１２】キャリッジが記録領域へ向けて反転移動することでスライダがワイピング位置に保持されるときの状態を示す一部破断正面図である。
【符号の説明】
【００３７】
１（１Ａ、１Ｂ）      キャップ
２（２Ａ、２Ｂ）      キャップホルダ
３（３Ａ、３Ｂ）      記録カートリッジ（記録手段）
６        キャリッジ
７        スライダ
７ａ      突き当て部
７ｂ      突出部（軸部）
８、９      ワイパー
１３      ベース部（装置本体）
１３ａ、１３ｂ      スライダカム（カム面）
１３ｄ      ロック面
１５      スライダばね
１６      ロックレバー（係止手段）
１６ａ    下端部
１６ｂ    上端部
１６ｅ    支持軸
５（５Ａ、５Ｂ）      記録ヘッド
５１      吐出口面
５２      吐出口列
６７      ロックレバー解除用の突起部
１０１    給紙部
１０２    搬送部
１０３    記録機構部（走査ユニット）
１０４    回復機構部（クリーニング機構部）
Ｓ        ワイパーの進入量（オーバーラップ量）
Ｔ        ロックレバーの回動方向
【図１】
2006315268.tif 000003
【図２】
2006315268.tif 000004
【図３】
2006315268.tif 000005
【図４】
2006315268.tif 000006
【図５】
2006315268.tif 000007
【図６】
2006315268.tif 000008
【図７】
2006315268.tif 000009
【図８】
2006315268.tif 000010
【図９】
2006315268.tif 000011
【図１０】
2006315268.tif 000012
【図１１】
2006315268.tif 000013
【図１２】
2006315268.tif 000014